(57)【要約】【課題】煩雑な操作を要求することなく、また画像を失うことなく、飛躍的に記録可能枚数を増大させる撮像装置を提供する。【解決手段】被写体を撮像して原画像データを出力する撮像部１１０と、原画像データを非圧縮または所定のフォーマットに圧縮して通常の画像データを生成し、通常の画像データを含む通常の画像ファイルを生成する通常ファイル生成部１２６と、通常の画像ファイルに含まれる通常の画像データを小さいデータ容量に縮小または圧縮した高圧縮画像データを生成する高圧縮部１２８と、複数の高圧縮画像データを縦横に連結した多面画像データを生成し、多面画像データを含む多面画像ファイルを生成する多面画像ファイル生成部１３０と、高圧縮部が処理した元の通常の画像ファイルを所定のタイミングで削除する削除部１４４と、通常の画像ファイルおよび多面画像ファイルを記録する記録部１４０と、を含む。【選択図】図１
2011086977.tif 000002
【特許請求の範囲】
【請求項１】
被写体を撮像して原画像データを出力する撮像部と、
前記原画像データを非圧縮または所定のフォーマットに圧縮して通常の画像データを生成し、該通常の画像データを含む通常の画像ファイルを生成する通常ファイル生成部と、
前記通常の画像ファイルに含まれる通常の画像データを小さいデータ容量に縮小または圧縮した高圧縮画像データを生成する高圧縮部と、
複数の前記高圧縮画像データを縦横に連結した多面画像データを生成し、該多面画像データを含む多面画像ファイルを生成する多面画像ファイル生成部と、
前記高圧縮部が処理した元の通常の画像ファイルを所定のタイミングで削除する削除部と、
前記通常の画像ファイルおよび前記多面画像ファイルを記録する記録部と、を備えたことを特徴とする撮像装置。
【請求項２】
被写体を撮像して原画像データを出力する撮像部と、
前記原画像データを非圧縮または所定のフォーマットに圧縮して通常の画像データを生成し、該通常の画像データを含む通常の画像ファイルを生成する通常ファイル生成部と、
前記原画像データを前記通常の画像データよりも小さいデータ容量に縮小または圧縮した高圧縮画像データを生成する高圧縮部と、
複数の前記高圧縮画像データを縦横に連結した多面画像データを生成し、該多面画像データを含む多面画像ファイルを生成する多面画像ファイル生成部と、
前記高圧縮部が処理した原画像データに対応する通常の画像ファイルを所定のタイミングで削除する削除部と、
前記通常の画像ファイルおよび前記多面画像ファイルを記録する記録部と、を備えたことを特徴とする撮像装置。
【請求項３】
請求項１または請求項２に記載の撮像装置であって、
前記高圧縮部は、前記多面画像ファイルに含まれる多面画像データをさらに縮小または圧縮し、
前記多面画像ファイル生成部は複数の多面画像データを縦横に連結した多面画像ファイルを生成し、
前記削除部は、前記高圧縮部が処理した元の多面画像ファイルを削除することを特徴とする撮像装置。
【請求項４】
請求項１または請求項２に記載の撮像装置であって、
前記多面画像ファイル生成部は、前記複数の高圧縮画像データそれぞれに関する複数の撮像情報を付加して前記多面画像ファイルを生成することを特徴とする撮像装置。
【請求項５】
請求項１または請求項２に記載の撮像装置であって、
該撮像装置の外周面に画像を表示する表示器と、
前記多面画像データから個々の前記高圧縮画像データを識別する個別識別部と、
前記個別識別部が識別した高圧縮画像データを個別に前記表示器に表示させる表示出力部とを備えたことを特徴とする撮像装置。
【請求項６】
請求項１または請求項２に記載の撮像装置であって、
前記多面画像データから個々の前記高圧縮画像データを識別する個別識別部と、
前記個別識別部が識別した高圧縮画像データを含む独立した画像ファイルを生成する部分画像ファイル生成部とを備えたことを特徴とする撮像装置。
【請求項７】
請求項１に記載の撮像装置であって、
前記多面画像ファイル生成部は前記記録部の空き容量が所定値以下となったときに前記多面画像ファイルを生成し、
前記削除部が通常の画像ファイルを削除する前記所定のタイミングは、前記多面画像ファイル生成部が前記多面画像ファイルを生成したときであることを特徴とする撮像装置。
【請求項８】
請求項２に記載の撮像装置であって、
前記削除部が通常の画像ファイルを削除する前記所定のタイミングは、前記記録部の空き容量が所定値以下となったときであることを特徴とする撮像装置。
【発明の詳細な説明】
【技術分野】
【０００１】
本発明は、被写体を撮像して画像データを生成する撮像装置に関するものである。
【背景技術】
【０００２】
近年、急速に普及している電子式の撮像装置（以下、「電子カメラ」という。）においては、撮像素子から得られた画像データを、ファイルとして記録媒体に記録している。記録媒体は、内蔵式（固定式）と着脱式（交換式）がある。従前は記録媒体の容量が少なかったためにメモリーカードなどの着脱式が一般的であったが、近年はフラッシュＲＯＭチップや小型ハードディスクなどの固定式記録デバイスの大容量化に伴い、数ギガバイトの記録媒体を内蔵する構成も見られるようになってきている。
【０００３】
しかし、いかに記録媒体が大容量化したとしても、その容量には当然ながら限界がある。特に、近年の撮像素子の画素数の増加はめざましく、これに伴って画像ファイルのサイズも顕著に増大している。例えば１２００万画素（４０００×３０００程度）の画素数であれば、ＪＰＥＧ圧縮された場合であっても５〜９ＭＢ程度のファイルサイズとなる（圧縮率や写っているものによってファイルサイズが異なる）。このように、記録容量の増大とファイルサイズの増大が同時に進行しているため、記録可能枚数は飛躍的には増加しにくい。
【０００４】
それでも、現状における記録容量とファイルサイズの関係からすれば、内蔵式記録媒体（または１つの着脱式記録媒体）においても、数百枚から千枚以上の画像を記録しうる程度の比率にはなっている。また、コンピュータやストレージデバイス等の外部装置を扱える使用者であれば、電子カメラ内の画像を外部装置に転送し、記録媒体の空き容量を確保（回復）することが可能である。
【０００５】
しかし、電子カメラの利用者が必ずしも外部装置を取り扱えるとは限らず、記録媒体の空き容量を確保することが難しい場合がある。そして、相当量の枚数を記録可能であるとしても、長期に亘って撮影を行えば、いずれは記録容量の限界に到達してしまう。これを解決するためには、記録媒体の容量をさらに増大させることがまず考えられるが、コスト面および部品実装スペースの問題から容易ではない。
【０００６】
そこで従来からも、記録媒体の記録領域が少なくなった場合において、記録領域を確保するための様々な提案がなされている。例えば、特許文献１には、記録されている各画像データを自動的に消去、リサイズまたは圧縮処理する技術が開示されている。なお特許文献１においては、プリント回数やメモリ確保レベルに応じて自動的に選択した画像のサムネイルを表示し、操作者が圧縮、リサイズまたは消去をしたくない画像を、処理対象から除外可能としている。
【先行技術文献】
【特許文献】
【０００７】
【特許文献１】特開２００７−７３００７号公報
【発明の概要】
【発明が解決しようとする課題】
【０００８】
上記特許文献１に記載の技術においては、使用者が最終的に消去などの処理の対象となる画像を選択可能である。しかし、処理対象となる画像が数十枚、数百枚となったときに、その全てについて使用者に要不要を判断させることは現実的ではない。このため、本来は記録しておきたい画像データであっても、操作のわずらわしさから安易に消去を選択してしまう場合も起り得る。したがって、必ずしも適切に画像データの消去が回避できるわけではない。
【０００９】
そこで本発明は、このような課題に鑑み、使用者に煩雑な操作を要求することなく、また画像を失うことなく、飛躍的に記録可能枚数を増大させることが可能な撮像装置を提供することを目的としている。
【課題を解決するための手段】
【００１０】
上記課題を解決するために、本発明にかかる撮像装置の代表的な構成は、被写体を撮像して原画像データを出力する撮像部と、原画像データを非圧縮または所定のフォーマットに圧縮して通常の画像データを生成し、通常の画像データを含む通常の画像ファイルを生成する通常ファイル生成部と、通常の画像ファイルに含まれる通常の画像データを小さいデータ容量に縮小または圧縮した高圧縮画像データを生成する高圧縮部と、複数の高圧縮画像データを縦横に連結した多面画像データを生成し、多面画像データを含む多面画像ファイルを生成する多面画像ファイル生成部と、高圧縮部が処理した元の通常の画像ファイルを所定のタイミングで削除する削除部と、通常の画像ファイルおよび多面画像ファイルを記録する記録部と、を備えたことを特徴とする。
【００１１】
本発明にかかる撮像装置の他の代表的な構成は、被写体を撮像して原画像データを出力する撮像部と、原画像データを非圧縮または所定のフォーマットに圧縮して通常の画像データを生成し、通常の画像データを含む通常の画像ファイルを生成する通常ファイル生成部と、原画像データを通常の画像データよりも小さいデータ容量に縮小または圧縮した高圧縮画像データを生成する高圧縮部と、複数の高圧縮画像データを縦横に連結した多面画像データを生成し、多面画像データを含む多面画像ファイルを生成する多面画像ファイル生成部と、高圧縮部が処理した原画像データに対応する通常の画像ファイルを所定のタイミングで削除する削除部と、通常の画像ファイルおよび多面画像ファイルを記録する記録部と、を備えたことを特徴とする。
【００１２】
上記の撮像装置において、高圧縮部は、多面画像ファイルに含まれる多面画像データをさらに縮小または圧縮し、多面画像ファイル生成部は複数の多面画像データを縦横に連結した多面画像ファイルを生成し、削除部は、高圧縮部が処理した元の多面画像ファイルを削除してもよい。
【００１３】
上記の撮像装置において、多面画像ファイル生成部は、複数の高圧縮画像データそれぞれに関する複数の撮像情報を付加して多面画像ファイルを生成してもよい。
【００１４】
上記の撮像装置において、さらに、撮像装置の外周面に画像を表示する表示器と、多面画像データから個々の高圧縮画像データを識別する個別識別部と、個別識別部が識別した高圧縮画像データを個別に表示器に表示させる表示出力部とを備えてもよい。
【００１５】
上記の撮像装置において、さらに、多面画像データから個々の高圧縮画像データを識別する個別識別部と、個別識別部が識別した高圧縮画像データを含む独立した画像ファイルを生成する部分画像ファイル生成部とを備えてもよい。
【００１６】
上記の撮像装置において、多面画像ファイル生成部は記録部の空き容量が所定値以下となったときに多面画像ファイルを生成し、削除部が通常の画像ファイルを削除する所定のタイミングは、多面画像ファイル生成部が多面画像ファイルを生成したときであってもよい。
【００１７】
上記の撮像装置において、削除部が通常の画像ファイルを削除する所定のタイミングは、記録部の空き容量が所定値以下となったときであってもよい。
【発明の効果】
【００１８】
本発明によれば、使用者に煩雑な操作を要求することなく、また画像を失うことなく、飛躍的に記録可能枚数を増大させることができる。
【図面の簡単な説明】
【００１９】
【図１】デジタルカメラの概略構成を説明する図である。
【図２】高圧縮部による画像処理を説明する図である。
【図３】多面画像ファイルの表示および分割を説明する図である。
【図４】多面画像データからの高圧縮画像データの削除を説明する図である。
【図５】第１実施形態における基準例１に基づく動作を説明するフローチャートである。
【図６】使用者に対する警告の画面例を説明する図である。
【図７】第１実施形態における基準例１に基づく動作をさらに説明する図である。
【図８】第１実施形態における他の基準例について説明する図である。
【図９】第２実施形態における基準例１に基づく動作を説明するフローチャートである。
【図１０】第２実施形態における画像ファイルの生成を説明する図である。
【図１１】第２実施形態における他の基準例について説明する図である。
【発明を実施するための形態】
【００２０】
［第１実施形態］
以下に添付図面を参照しながら、本発明の第１実施形態について詳細に説明する。かかる実施形態に示す装置や画像の種類、データフォーマット、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
本実施形態においては、撮像装置の例として電子カメラ（デジタルカメラ）を用いて説明する。図１はデジタルカメラ１０の概略構成を説明する図である。デジタルカメラ１０は、メインバス１００、制御部１０２、操作部１０４、撮影レンズ１０６、撮像素子１０８、撮像部１１０、表示器１１２、バッファメモリ１１４、表示出力部１１６、情報生成部１２０、設定入力部１２２、画像処理部１２４、通常ファイル生成部１２６、高圧縮部１２８、多面画像ファイル生成部１３０、個別識別部１３２、部分画像ファイル生成部１３４、記録部１４０、削除部１４４、外部インターフェース１４６を備えている。
【００２２】
メインバス１００は、他の各部を相互に接続し、制御信号やデータを伝達する。
【００２３】
制御部１０２は、デジタルカメラ１０の各部を統括的に制御（シーケンス管理）する。制御部１０２は、演算処理を行うＣＰＵ(Central Processing Unit)、プログラム動作領域としてのＲＡＭ(Random Access Memory)、プログラムや設定などが記憶されるＲＯＭ(Read Only Memory)などを有している。
【００２４】
操作部１０４は不図示のボタンや十字キー、ダイヤル、タッチパネルなどから構成され、各種操作を行ったり、設定を入力したりすることができる。
【００２５】
撮影レンズ１０６は、撮像素子１０８の撮像面に被写体の像を結像させる。撮像素子１０８は複数の光電変換素子を配列したＣＣＤセンサ(Charge Coupled Device)やＣＭＯＳセンサ(Complementary Metal Oxide Semiconductor)で構成され、光を電気信号に変換する。
【００２６】
撮像部１１０は、被写体を撮像して原画像データを出力する。撮像部１１０はＣＤＳ（相関二重サンプリング）回路、ＡＧＣ（オートゲインコントロール）回路およびＡＤＣ（アナログ・デジタル変換回路）、タイミングジェネレータを含んで構成されている。各回路には、タイミングジェネレータからのタイミング信号がそれぞれ供給される。ＣＤＳ回路は画像信号の低周波ノイズ低減処理を行う。ＡＧＣ回路はゲインを調整することにより撮像信号のレベル調整を行う。ＡＤＣ回路はアナログ信号を離散化してデジタル信号に変換し、画像データとして出力する。
【００２７】
表示器１１２は、画像や設定状態をデジタルカメラ１０の外周面に表示するものであり、液晶や有機ＥＬパネルなどで構成される。表示器１１２は、画像を撮影する前にプレビュー画像を表示し、画像を撮影した直後にポストビュー画像を表示し、また操作部１０４からの操作によって記録部１４０等に記録された画像データを読み出して表示することができる。
【００２８】
バッファメモリ１１４は、撮像部１１０が出力した原画像データを一時的に記憶し、また画像処理部１２４等が補正処理や変換を行っている途中の画像データを保持する。バッファメモリ１１４は高速なＲＡＭで構成することができる。
【００２９】
表示出力部１１６は、画像処理部１２４が処理した画像や、制御部１０２が記録部１４０から読み出した画像などを、表示器１１２に出力して表示させる。このとき、画像を個別に表示させたり、複数枚の画像をタイル表示させたり、拡大して部分的に表示させたりする。また画像とあわせて、その画像について記録されているメタデータを表示することも可能である。また表示出力部１１６は、制御部１０２からの情報に基づいてメニュー画面や操作画面を表示させたり、設定入力部１２２からの情報に基づいて設定画面などを表示させたりする。さらに本実施形態では、後述するように、個別識別部１３２が識別した高圧縮画像データを個別に表示器１１２に表示させる。
【００３０】
情報生成部１２０は、画像データの撮像情報を複数項目含むメタデータを生成する。メタデータは、実体データである画像データに関する事項を格納し、画像データと同一のファイルに保存するデータである。本実施形態にかかるデジタルカメラ１０では、画像データの形式やフォルダ構造などに、ＤＣＦ(Design rule of Camera File System)規格に則ったデータ構造を用いており、メタデータとしてＥｘｉｆ(Exchangeable Image File)タグが用いられている。撮像情報としては、例えばデジタルカメラのメーカー名(Make)やモデル名(Model)、撮像日時情報(Date Time Original)、画像の説明(Image Description)、使用者コメント(user Comment)、メーカーノート(Maker Note)などが含まれる。
【００３１】
設定入力部１２２は、操作部１０４の操作によって、各種設定を入力する。例えば、特定の画像に対する削除禁止の設定や、後述する画像圧縮の圧縮率等の設定およびメタデータに含める情報の入力を受け付ける。
【００３２】
画像処理部１２４は、撮像部１１０から出力された原画像データを処理する回路であって、例えばＡＳＩＣとして構成される。画像処理部１２４は、入力された原画像データに対してγ補正やホワイトバランス補正、コントラスト補正等の画像処理を行うとともに、ＲＧＢの原画像データを輝度信号と色差信号とに対応するＹＣｂＣｒの色空間に変換するＹＣ変換処理を行う。
【００３３】
通常ファイル生成部１２６は、画像処理部１２４によって画像処理がされた原画像データを非圧縮のまま、または所定のフォーマットに圧縮して通常の画像データ（以下、単に「通常画像データ」と記載する）を生成する。また、通常ファイル生成部１２６は、通常画像データおよび情報生成部１２０が生成したメタデータを含む通常の画像ファイル（以下、単に「通常画像ファイル」と記載する）を生成し、記録部１４０に記録する。
【００３４】
高圧縮部１２８は、画像データを、通常ファイル生成部１２６が生成した通常画像データよりも、さらに小さいデータ容量に縮小または圧縮して高圧縮画像データを生成する。処理の内容としては、データ容量を小さくするものであればよく、縮小（画像データのピクセル数を少なくする処理）であってもよいし、圧縮（圧縮率の変更や、フォーマットの変更、アルゴリズムの変更、減色、カラースペースの変更を含む）であってもよいし、またこれらを組み合わせてもよい。処理の対象となる画像データは、撮像部１１０から出力された原画像データであってもよいし、既に記録部１４０に記録されている画像ファイルに含まれる通常画像データであってもよい。さらには、既に高圧縮部１２８が処理を行った画像データ（後述する多面画像データ）を、さらに縮小または圧縮（以下、「多段圧縮」と称する）して高圧縮画像データを生成することもできる。
【００３５】
図２は高圧縮部１２８による画像処理を説明する図である。本実施形態において高圧縮部１２８は、画像の縮小を行うことによってデータ容量を小さくする。なお、図２に示す各画像のコマ数およびピクセル数の記載は例示に過ぎず、これに限定するものではない。縮小する場合のピクセル数は、使用者により変更が可能であることが好ましい。
【００３６】
図２（a）に例示するように、高圧縮部１２８は、通常画像データ（３２００×２４００ピクセル）をさらに小さいデータ容量に縮小または圧縮して、高圧縮画像データ（３２０×２４０ピクセル）を生成することができる。この場合において、高圧縮画像データ（３２０×２４０ピクセル）は通常画像データ（３２００×２４００ピクセル）に対してピクセル数が１／１００となり、ピクセル数の削減によりデータ容量も削減される。
【００３７】
多面画像ファイル生成部１３０は、高圧縮部１２８が生成した複数の高圧縮画像データを縦横に連結して多面画像データを生成し、生成した多面画像データを含む多面画像ファイルを生成して記録部１４０に記録する。図２（ｂ）では、高圧縮画像データ（３２０×２４０ピクセル）を縦横に１０コマずつ配列し、合計１００コマの画像を含む１つの多面画像データ（３２００×２４００ピクセル）を生成している。なお、多面画像ファイル生成部１３０は、処理対象である複数の高圧縮画像データに含まれていたメタデータの全部または一部を多面画像ファイルに含ませることができる。
【００３８】
さらに本実施形態では、図２（ｃ）に例示するように、高圧縮部１２８は、多面画像ファイルに含まれる多面画像データ（３２００×２４００ピクセル）から、多段圧縮によってさらに小さいデータ容量の多面画像データ（１６００×１２００ピクセル）を生成する。そして多面画像ファイル生成部１３０は、多段圧縮した多面画像データ（１６００×１２００ピクセル）を４コマ連結して１つの多面画像データ（３２００×２４００ピクセル）を生成している。この例であれば、多段圧縮により多面画像ファイルのデータ容量を大幅に（約１／４に）圧縮することができる。
【００３９】
なお、何十コマ以上もの通常画像ファイルを縮小および圧縮し、縦横に連結して多面画像データおよび多面画像ファイルを生成する処理には相当な時間を要するおそれがある。そこで、高圧縮部１２８および多面画像ファイル生成部１３０の動作は、バックグラウンドで実行することが望ましい。このとき、記録部１４０が着脱可能な記録媒体である場合には、アクセスランプ等を表示させて、使用者が記録媒体を抜き取ってしまわないように注意を促すことが好ましい。
【００４０】
個別識別部１３２は、多面画像ファイルから個々の高圧縮画像データを識別する。図３は多面画像ファイルの表示および分割を説明する図である。生成した多面画像ファイルは複数の高圧縮画像データが縦横に連結した１つの画像ファイルであるが、個別識別部１３２が個々の高圧縮画像データを識別することにより、個別の画像として表示またはファイル出力することを可能としている。
【００４１】
個別識別部１３２が高圧縮画像を識別する方法として、それぞれの高圧縮画像データをシーケンシャルに配列し、各画像データの末尾にアンカー（データの終端を示すコード）を埋め込み、アンカーごとに個々の高圧縮画像データを識別することができる。また多面画像ファイルのメタデータに各高圧縮画像データのアドレス情報を含めておいてもよい。また、１つの多面画像ファイルに含む高圧縮画像データのピクセル数を一定とし、所定のフォーマットで圧縮されている多面画像ファイルを非圧縮画像に展開した状態で領域を切り分けることにより各高圧縮画像データを識別してもよい。
【００４２】
そして上述の表示出力部１１６は、個別識別部１３２が識別した高圧縮画像データを個別の画像として取り扱い、表示器１１２に個別に表示させたり、複数枚の画像をタイル表示させたりする。これにより使用者にとっては、現在閲覧している画像が多面画像ファイルに含まれているのか通常画像ファイルに含まれているのかを意識する必要はない。このとき、表示器１１２には、各高圧縮画像データのメタデータを表示することも可能である。
【００４３】
また部分画像ファイル生成部１３４は、個別識別部１３２が識別した高圧縮画像データを、再び独立した画像ファイルとして生成する。部分画像ファイル生成部１３４は、使用者による操作部１０４の操作に応じて、使用者が選択した高圧縮画像データを含む画像ファイルを生成する。これにより、多面画像ファイルにのみ含まれている画像であっても、通常画像ファイルとほぼ同様に取り扱うことができる。
【００４４】
記録部１４０は、生成された画像ファイル（通常画像ファイルおよび多面画像ファイル）を記録する。記録媒体としては、例えば内蔵式（固定式）であれば、フラッシュメモリ等の追記可能なメモリや小型ハードディスク、フレキシブルディスク、光ディスク、光磁気ディスク等を用いることができる。なお、記録部１４０として、着脱式（交換式）の外部メモリ（Removable Memory）を用いることも可能である。
【００４５】
削除部１４４は、記録部１４０に記録した画像ファイルの一部または全部を削除する。削除部１４４は、使用者による操作部１０４の操作に応じて削除を行うこともできるが、後述するように、所定の基準によるタイミングで自動的に削除を行うことができる。
【００４６】
なお、通常画像ファイルのメタデータには、ファイルの削除を禁止するフラグを記録可能とすることが好ましい。具体例としては、画像を閲覧する動作において、削除の操作と同様に、削除禁止フラグを付する操作を入力される削除禁止設定部（不図示）を設ける。すなわち、ユーザーが削除禁止設定部を操作することによって、制御部１０２は、記録部１４０に記録された通常画像ファイルのメタデータに削除禁止フラグを記録する。そして削除部１４４は、削除禁止フラグを付された通常画像ファイルを削除しない。これにより、特に大切な画像を高画質のままで残しておきたいという使用者の便宜に期することができる。
【００４７】
ただし、使用者に自由に削除禁止フラグを許すとすると、極端な場合は全ての撮影した画像ファイルに削除禁止フラグを設定され、本発明の目的である記録可能枚数の増大をはかれなくなってしまうおそれがある。そこで削除禁止設定部において、削除を禁止できる画像ファイルの枚数または総ファイル容量を制限可能とする。これにより、記録可能枚数の増大と高画質の維持の両立を図ることができる。
【００４８】
また削除部１４４は、多面画像データから、個々の高圧縮画像データを削除する。図４は、多面画像データからの高圧縮画像データの削除を説明する図である。例えば、多面画像データに含まれる高圧縮画像データが不要である場合、削除を行うことで個別表示やタイル表示の対象から除外することができる。その場合、図４（a）に示すように、メタデータにその高圧縮画像データが削除されたことを示すフラグを記録して管理することができる（図では削除アイコンで示している）。またさらに、のちに閲覧されてしまうことを確実に防止するために、図４（ｂ）に示すように高圧縮画像データを単色で塗りつぶすことが好ましい。
【００４９】
外部インターフェース１４６は、有線通信または無線通信を介してコンピュータなどの外部装置１４８に接続される。外部インターフェース１４６は、ＵＳＢ(Universal Serial Bus)やＩＥＥＥ８０２．１１ｘ、ＩＥＥＥ１３９４、シリアル通信などの既存の通信規格を利用することができる。そして使用者による操作部１０４の操作により、または外部装置１４８を接続したことを契機として、外部インターフェース１４６が記録部１４０に記録されている画像ファイルを外部装置１４８に転送し、削除部１４４が記録部１４０から画像ファイルを削除してその空き容量を回復させることができる。
【００５０】
ところで、外部装置１４８を利用すれば記録部１４０の空き容量を回復させられるとしても、すべての使用者が必ずしも外部装置１４８を取り扱えるとは限らない。また消去のために過去に撮影した大量の画像の要不要を判断するのも現実的ではない。そこで本実施形態では、所定のタイミングで上述の多面画像ファイルを生成し、処理対象たる元の画像ファイルを削除して空き容量を確保する。
【００５１】
図５は、第１実施形態における基準例１に基づく動作を説明するフローチャートである。制御部１０２は、所定のプログラムを実行することにより、図５に示す処理を施す（または、各処理を施すように各部を制御する。）。基準例１では、所定のタイミングを得るための基準として空き容量を用いている。
【００５２】
図５に示すように、Ｓ１０２において通常ファイル生成部１２６は、撮像部１１０が出力して画像処理部１２４によって所定の処理が施された原画像データを取得する。
【００５３】
Ｓ１０４において通常ファイル生成部１２６は、取得した原画像データを非圧縮、または所定のフォーマットに圧縮して通常画像データを生成する。次に、Ｓ１０８において通常ファイル生成部１２６は、通常画像データに情報生成部１２０が生成したメタデータを付加して通常画像ファイルを生成する。そして、Ｓ１１０において記録部１４０は、通常ファイル生成部１２６が生成した通常画像ファイルを記録する。
【００５４】
ここで、撮影により生成された画像ファイルの記録可能枚数は、記録媒体の容量に左右されるだけでなく、撮影した画像ファイルの画像の大きさおよび圧縮率の影響を受ける。つまり、画像が大きく画質が高いほど記録可能枚数は少なくなってしまう。そこで第１実施形態にかかる基準例１では、記録部１４０の空き容量が所定値以下になったタイミングで、複数の通常画像ファイルをさらに小さいデータ容量に縮小または圧縮して１つの多面画像ファイルとしてまとめ、元の通常画像ファイルを削除する。
【００５５】
Ｓ１１２において制御部１０２は、記録部１４０の空き容量が所定値以下か否かを判断する。制御部１０２は、記録部１４０の空き容量が所定値を超えていると判断した場合は（Ｓ１１２のＮＯ）、以下の処理を行うことなく一連の処理を終了する。
【００５６】
一方、Ｓ１１２において制御部１０２は、記録部１４０の空き容量が所定値以下であると判断した場合は（Ｓ１１２のＹＥＳ）、Ｓ１１４においてさらに多段圧縮が必要か否かを判断する。なお多段圧縮が必要か否かは、後に詳述するように、第１実施形態にかかる基準例１では空き容量を用いて判断する（図７参照）。多段圧縮は、上述のように、既に高圧縮部１２８が生成した多面画像データをさらに縮小または圧縮する処理である。Ｓ１１４において制御部１０２は、多段圧縮は必要ないと判断した場合は（Ｓ１１４のＮＯ）、まずＳ１１６において使用者に対して圧縮を行う旨の警告を表示器１１２から行う。
【００５７】
図６は、使用者に対する警告の画面例を説明する図である。図６に示すように、警告は、使用者に対して記録部１４０に記録されている通常画像ファイルに圧縮等が施されることを告知するためのものである。警告では、圧縮等の対象となる通常画像ファイル（撮影日時の範囲や、連番となっているファイル名の範囲によって表現する）の他にも、圧縮等によって確保できる空き容量等の情報を告知できる。
【００５８】
次にＳ１１８において高圧縮部１２８は、通常画像ファイルに含まれている通常画像データから高圧縮画像データを生成する。このとき、高圧縮画像データは、撮影日時が古い元の通常画像データから順に生成してもよい。
【００５９】
そして、Ｓ１２０において多面画像ファイル生成部１３０は、高圧縮部１２８が生成した複数の高圧縮画像データを縦横に連結して１つの多面画像データを生成する。そして、Ｓ１２２において多面画像ファイル生成部１３０は、生成した多面画像データを含む多面画像ファイルを生成する。
【００６０】
次に、Ｓ１２４において記録部１４０は、多面画像ファイル生成部１３０が生成した多面画像ファイルを記録する。そして、Ｓ１２６において削除部１４４は、高圧縮部１２８が処理した元の通常画像ファイル（１００ファイル）を削除する。このようにして記録部１４０は、通常画像ファイル１００枚と多面画像ファイル１枚のデータ容量の差分に相当する空き容量が増大される。
【００６１】
なお、高圧縮部１２８が生成した高圧縮画像データは既にデータ容量が小さいのであるから、多面画像ファイルを生成せずに、多数の小さなファイルを記録部１４０に記録してもよい。ただしファイルシステムとして広く汎用されているファイルアロケーションテーブルを利用する場合には、セクタの先頭にファイルの先頭がくる必要があるため、多数の小さなファイルに分かれていると記録部１４０上のデータ配置に無駄が生じ、見かけ上の使用量が増えてしまう。このため、１つの多面画像ファイルにまとめていた方が、より効果的に記録部１４０の空き容量を回復させることができる。
【００６２】
また、多数の小さなファイルを記録部１４０に記録した場合には、表示のために画像ファイルを読み出す際には、必然的に個別に読み出すことになる。ここで記録部１４０がハードディスクである場合には、多数のファイルにアクセスするためにヘッドシークが頻繁に生じ、処理時間および消費電力の増大を招くおそれがある。また記録部１４０が駆動機構を有しないフラッシュＲＯＭなどのシリコン媒体である場合においても、ファイルを開いてからメタデータを処理する一連のシーケンスを、ファイルの数だけ繰り返さなくてはならない。これに対し多面画像ファイルにまとめておくことにより、大きなヘッドシークを極めて少なくすることができると共に、メタデータをまとめて読み込むことができるためにファイル処理のシーケンスも実行回数を激減させることができる。すなわち、多数の高圧縮画像データを多面画像ファイルにまとめて記録しておくことにより、記録容量の削減と、処理の高速化の両方を図ることができる。
【００６３】
一方、Ｓ１１４において制御部１０２は、多段圧縮が必要であると判断した場合（Ｓ１１４のＹＥＳ）、まずＳ１３０において使用者に対して警告を表示器１１２から行う。この警告は、使用者に対して、記録部１４０に既に記録されている多面画像ファイルを、さらに圧縮することを告知するものである。
【００６４】
次に、Ｓ１３２において高圧縮部１２８は、記録部１４０から多面画像ファイルを読み出し、これに含まれる多面画像データをさらに縮小および圧縮する多段圧縮を行う。
【００６５】
そして、Ｓ１３４において多面画像ファイル生成部１３０は、高圧縮部１２８によって多段圧縮した複数の多面画像データを縦横に再度連結して、１つの多面画像データを生成する。次に、Ｓ１３６において多面画像ファイル生成部１３０は、Ｓ１３４において生成した多面画像データを含む多段圧縮後の多面画像ファイルを生成する。
【００６６】
次に、Ｓ１３８において多面画像ファイル生成部１３０は、多面画像ファイル生成部１３０がＳ１３６において生成した多段圧縮後の多面画像ファイルを記録部１４０に記録する。そして、Ｓ１４０において削除部１４４は、高圧縮部１２８が処理した元の多面画像ファイル（４ファイル）を削除する。このようにして、記録部１４０の記録可能枚数を多面画像データ（３２００×２４００ピクセル）３枚分増大させることができた。
【００６７】
図７は第１実施形態における基準例１に基づく動作をさらに説明する図であって、記録部１４０において使用される容量の推移を示している。
【００６８】
図７に示すように、撮影が進行して記録部１４０の使用容量が増加し、タイミングｔ１１で空き容量が所定値以下になったとする。すると上述のように高圧縮部１２８が通常画像ファイルを圧縮（または縮小）し、多面画像ファイル生成部１３０が多面画像ファイルを生成し、削除部１４４が処理対象となった通常画像ファイルを削除する。一連の処理が完了したタイミングｔ１２では、多面画像ファイルの使用容量がわずかに増加するが、削除した元の通常画像ファイルの分の空き容量が飛躍的に増大（回復）する。また次にタイミングｔ１３において空き容量が所定値以下となると一連の処理を行い、処理が完了したタイミングｔ１４では空き容量が増大する。
【００６９】
このようにして記録可能枚数は飛躍的に増大するものの、多面画像ファイルの生成および記録の繰り返しに伴い、多面画像ファイルの分の容量が増え続けていくことから、これだけでは将来的に通常画像ファイルを記録するための容量が失われてしまうことになる。そこで上記のように、多面画像ファイル生成部１３０が多面画像ファイルを再縮小および再圧縮する多段圧縮を行う。多段圧縮をするタイミングｔ１５は、例えば、通常画像ファイルを記録可能な空き容量（所定値までの空き容量）が、１枚の多面画像ファイルに相当する枚数の通常画像ファイルを記録するサイズに満たなくなったときとすることができる。そして、削除部１４４が、多段圧縮の元の多面画像ファイルを記録部１４０から削除するタイミングｔ１６では、空き容量が再び増大する。なお、基準例１における所定値は使用者が任意に設定できる。
【００７０】
なお、上記の例によれば２段階の圧縮（縮小）を行っているが、１段階であってもよいし、３段階以上にしてもよい。また縮小する場合のサイズも適宜選択または設定しうることは上述した通りである。
【００７１】
上記のように、基準例１に基づく動作によれば、画像を延々と撮り続けても、記録部１４０の空き容量はおおむね所定値を維持するように推移する。したがって、煩雑な操作を要求することなく、また画像を失うことなく、飛躍的に記録可能枚数を増大させることが可能である。そして、一度縮小および圧縮により記録可能枚数を増大させた後でも、多段圧縮を行うことにより記録可能枚数を再び増大でき、使用者は、実質的に無制限に撮影を行うことが可能となる。また撮影した全ての画像を保持しておくことが可能となるため、デジタルカメラ１０のメンテナンス時において、不具合の発生時点を確認することができる。
【００７２】
図８は、第１実施形態における他の基準例について説明する図である。図８（a）は所定のタイミングの基準として記録枚数を用いた基準例２を説明する図、図８（ｂ）は所定のタイミングの基準として経過時間を用いた基準例３を説明する図である。
【００７３】
図８（a）に例示するように、基準例２では、通常画像ファイルとしての記録枚数が増加して所定の枚数に達したタイミングｔ２１で、多面画像ファイルの生成と通常画像ファイルの削除を行う。例えば、記録枚数が２００枚に到達したときに、多面画像ファイル生成部１３０は先に撮影した１００枚について多面画像ファイルを生成して記録部１４０に記録し、削除部１４４は処理した元の通常画像ファイル（１００ファイル）を削除する。一連の処理が完了したタイミングｔ２２では、多面画像ファイル１枚分の使用量が増加し、通常画像ファイル１００枚分の使用量が減少するため、差し引きでおおむね通常画像ファイル９９枚分の空き容量が増大する。以降、通常画像ファイルが２００枚に到達する度に（タイミングｔ２３、ｔ２５）、多面画像ファイルの生成と通常画像ファイルの削除を行う（タイミングｔ２４、ｔ２６）。
【００７４】
また、基準例２でも多段圧縮を行うことができる。この場合、多面画像ファイルが増加して所定の枚数に達したタイミングで、多面画像ファイル生成部１３０が多面画像ファイルを多段圧縮し、削除部１４４が多段圧縮の元となった多面画像データを含む多面画像ファイルを記録部１４０から削除することで再び空き容量が増大する。なお、基準例２における多面画像ファイル生成および多段圧縮の基準となる記録枚数は使用者が任意に設定できる。
【００７５】
図８（ｂ）に示すように、基準例３では、通常画像ファイルを生成し記録してから所定の時間が経過したタイミングで多面画像ファイルの生成と通常画像ファイルの削除を行う。図８（ｂ）では１ヶ月を単位とし、６ヶ月が経過した一ヶ月分の通常画像ファイルを処理対象とする。したがって、デジタルカメラ１０の使用開始から６ヶ月間は多面画像ファイルが生成されないが、７ヶ月目には最初の１ヶ月目に撮影した通常画像ファイルについて多面画像ファイル生成部１３０が多面画像ファイルを生成し、削除部１４４が削除を行うことで空き容量を増大させることができる。換言すれば、通常画像ファイルの保存期間は６ヵ月ということができる。すなわち、常におおむね６ヶ月分の通常画像ファイルの使用量が維持されることから、記録部１４０の容量が使い果たされてしまうことを防止することができる。
【００７６】
また、基準例３のように時間単位で多面画像ファイルを生成することにより、多面画像ファイルから高圧縮画像データを読み出す際のインターフェースも時間基準とすることが簡便である。この場合において、「何年何月に撮影した写真」のように、あたかもアルバムを呼び出すような画像管理方法にすると、読み出す多面画像ファイルの数を最小限とすることができる。
【００７７】
また、基準例３でも多段圧縮を行うことができる。多段圧縮を経過時間基準で行うとすれば、通常画像ファイルから多面画像ファイルを生成する閾値を第１経過時間（上記例では６ヶ月）とすると、多面画像ファイルから多段圧縮する閾値を第２経過時間（例えば１２ヶ月）とすることができる。なお、基準例３における多面画像ファイル生成および多段圧縮の基準となる所定の時間はユーザーが任意に設定できるようにすることが好ましい。
【００７８】
このように、基準例２および基準例３においても、煩雑な操作を要求することなく、また画像を失うことなく、飛躍的に記録可能枚数を増大させることが可能である。そして、一度縮小および圧縮により記録可能枚数を増大させた後でも、多段圧縮を行うことにより記録可能枚数を再び増大でき、使用者は、実質的に無制限に撮影を行うことが可能となる。
【００７９】
なお、基準例１〜３において、多段圧縮をするタイミングとして、他の基準を用いることを妨げるものではない。例えば、空き容量基準の基準例１において、多面画像ファイルが所定枚数蓄積されたときに多段圧縮してもよいし（基準例２）、経過時間基準の基準例３において、空き容量基準で多段圧縮してもよい（基準例１）。また、いずれの基準を用いるかを選択可能とすることにより、使用者にとっての自由度を向上させることができる。
【００８０】
［第２実施形態］
本発明にかかるデジタルカメラの第２実施形態について説明する。図９は第２実施形態における基準例１に基づく動作を説明するフローチャートであって、上記第１実施形態と説明の重複する部分については同一の符号を付して説明を省略する。
【００８１】
上記第１実施形態では、空き容量が所定値以下であると判断した場合に多面画像ファイルを生成して元の通常画像ファイルを削除するように説明した。しかし、何十コマ以上もの通常画像ファイルを縮小および圧縮し、縦横に連結して多面画像データおよび多面画像ファイルを生成する処理には相当な時間を要すおそれがある。そこで第２実施形態では、撮影を行う毎に多面画像ファイルを作成（または更新）する例である。
【００８２】
図９に示すフローチャートにおいて、制御部１０２は、所定のプログラムを実行することにより、図９に示す処理を施す（または、各処理を施すように各部を制御する。）。原画像の取得（Ｓ１０２）から通常画像ファイルの記録（Ｓ１１０）までは第１実施形態と同様である。さらに本実施形態では、Ｓ２０２において高圧縮部１２８が、画像処理部１２４から原画像データを取得し、通常ファイル生成部１２６が生成する通常画像データよりも小さいデータ容量に縮小または圧縮した高圧縮画像データを生成する。そして、Ｓ２０４において多面画像ファイル生成部１３０が高圧縮画像データから多面画像データを生成する。そして、Ｓ２０６において多面画像ファイル生成部１３０が多面画像ファイルを生成し、Ｓ２０８において記録部１４０が、多面画像ファイル生成部１３０が生成した多面画像ファイルを記録する。
【００８３】
図１０は、第２実施形態における画像ファイルの生成を説明する図である。図１０（a）に示すように、本実施形態では、撮影を行うと通常画像ファイルの生成（Ｓ１０４）と多面画像ファイル生成（Ｓ２０６）の両方を行う。このとき多面画像ファイル生成部１３０は、多面画像ファイルを新たに生成するだけでなく、既存の多面画像データに高圧縮画像データを追加して多面画像ファイルを更新することもできる。
【００８４】
なお既存の多面画像データに対する高圧縮画像データの追加は、多面画像データが所定のフォーマット（ＪＰＥＧなど）で保存されている場合、いちどバッファメモリ１１４上に多面画像を展開してから高圧縮画像を配置し、ふたたび所定のフォーマットに圧縮して保存する必要がある。このとき、多面画像データは複数の画像を保持しているとはいえ、全体的なデータサイズは原画像データ１枚と同じであるため、負荷が過大となることはない。しかし、さらに高速化を図ろうとする場合、デジタルカメラ１０の電源を投入した時点で既存の多面画像データをバッファメモリ１１４上に展開し、撮影するごとに高圧縮画像データを配置していき、電源を切る際に終了処理の一部として記録部１４０に書き戻してもよい。
【００８５】
また、高速化を図るための他の手法として、多面画像データが完成するまでは非圧縮（ビットマップなど）としておくことにより、各高圧縮画像データのデータ長を固定長にすることができ、また隣接するピクセルとの依存関係をなくすることができる。すると多面画像ファイルの全体をバッファメモリ１１４に読み出すことなく、部分的に書き換えることによって高圧縮画像データを追記することが可能である。この場合において、何コマ目まで書き込まれているかについては、メタデータに記録しておくことが望ましい。非圧縮の画像はファイルサイズが大きいが、多面画像ファイルの全てのコマが高圧縮画像データによって埋められたときに、使用量の少ない任意のフォーマット（ＪＰＥＧなど）に変換することにより、支障なく空き容量を増大させることができる。
【００８６】
そして、第１実施形態と同様に、Ｓ１１２において制御部１０２は、記録部１４０の空き容量が所定値以下か否かを判断する。記録１４０の空き容量が所定値を超えていると判断した場合は（Ｓ１１２のＮＯ）、制御部１０２は以下の処理を行うことなく一連の処理を終了する。一方制御部１０２は、Ｓ１１２において記録部１４０の空き容量が所定値以下であると判断した場合は（Ｓ１１２のＹＥＳ）、Ｓ１１４において、さらに多段圧縮が必要か否かを判断する。
【００８７】
Ｓ１１４において制御部１０２が多段圧縮は必要ないと判断した場合は（Ｓ１１４のＮＯ）、まずＳ１１６において使用者に対して警告を表示器１１２から行う。ただし、第２実施形態では既に多面画像ファイルを生成しているため、この場合の警告では、記録部１４０に記録している過去の通常画像ファイルを削除する旨および削除の対象となる過去の通常画像ファイルの範囲を告知する。そして、Ｓ２１８において、削除部１４０が過去の通常画像ファイルを削除し、一連の処理を終了する。
【００８８】
一方、Ｓ１１４において制御部１０２が多段圧縮を必要であると判断した場合（Ｓ１１４のＹＥＳ）は、第１実施形態と同様の処理で多段圧縮を行い（Ｓ１３０〜Ｓ１４０）、一連の処理を終了する。
【００８９】
図１０（ｂ）を用いて第２実施形態の基準例１における動作をさらに説明する。上記したように、本実施形態においては撮影時にほぼ同時に多面画像ファイルを生成または更新する。そのため撮影が進行するタイミングｔ３１、ｔ３２、ｔ３３では、通常画像ファイルと多面画像ファイルが同時に増加する。そしてタイミングｔ３３にて空き容量が所定値以下になると、通常画像ファイルの一部または全部を削除する。削除処理が完了したタイミングｔ３４では、空き容量が増大する。
【００９０】
タイミングｔ３３において削除する通常画像ファイルについては、既に多面画像ファイルが形成されているから、ｔ３３の時点で存在するファイルを全部削除したとしても支障はない。しかし、直近に撮影した画像は、プリントや加工その他の用途に利用する可能性が高いため、できる限り高画質な状態で保持しておくことが望ましい。そこで削除する際には通常画像ファイルの一部を残しておくこととし、その基準としては、所定の空き容量が確保できる分だけ古いものから削除したり（空き容量基準）、直近の所定枚数を残したり（枚数基準）、直近の所定期間のデータを残したり（経過時間基準）することができる。
【００９１】
そして、第１実施形態における基準例１と同様に、一度空き容量を増大させた後でも、多段圧縮によってさらに空き容量を増大させることができる。多段圧縮をするタイミングｔ３５は、例えば、通常画像ファイルを記録可能な空き容量（所定値までの空き容量）が、１枚の多面画像ファイルに相当する枚数の通常画像ファイルを記録するサイズに満たなくなったときとすることができる。そして、削除部１４４が、多段圧縮の元の多面画像ファイルを記録部１４０から削除するタイミングｔ３６では、空き容量が再び増大する。
【００９２】
図１１は、第２実施形態における他の基準例について説明する図である。図１１（a）は所定のタイミングの基準として記録枚数を用いた基準例２を説明する図、図１１（ｂ）は所定のタイミングの基準として経過時間を用いた基準例３を説明する図である。
【００９３】
図１１（a）に例示するように、基準例２では、撮影が進行しているタイミングｔ４１では、通常画像ファイルと多面画像ファイルが同時に増加する。そして、タイミングｔ４２で通常画像ファイルとしての記録枚数が増加して所定の枚数（例えば２００枚）に達すると、削除部１４４が先に撮影した１００枚の通常画像ファイルを記録部１４０から削除する。これによりタイミングｔ４３では、空き容量が増大する。
【００９４】
また、基準例２でも多段圧縮を行うことができる。この場合、多面画像ファイルが増加して所定の枚数に達したタイミングで、多面画像ファイル生成部１３０が多面画像ファイルを多段圧縮し、削除部１４４が多段圧縮の元となった多面画像データを含む多面画像ファイルを記録部１４０から削除することで再び空き容量が増大する。なお、基準例２における通常画像ファイルの削除および多段圧縮の基準となる記録枚数は使用者が任意に設定できる。
【００９５】
図１１（ｂ）に示すように、基準例３では、通常画像ファイルを生成し記録してから所定の時間が経過したタイミングで通常画像ファイルの削除を行う。図１１（ｂ）では１ヶ月を単位とし、６ヶ月が経過した１か月分の通常画像ファイルを処理対象とする。したがって、デジタルカメラ１０の使用開始から６ヶ月間は通常画像ファイルと多面画像ファイルを両方生成し、７ヶ月目には削除部１４４が最初の１ヶ月目に撮影した通常画像ファイルの削除を行うことで空き容量を増大させることができる。これにより、常におおむね６ヶ月分の通常画像ファイルの使用量が維持されることから、記録部１４０の容量が使い果たされてしまうことを防止することができる。
【００９６】
また、基準例３でも多段圧縮を行うことができる。通常画像ファイルの削除を行う閾値を第１経過時間（上記例では６ヶ月）とすると、多面画像ファイルから多段圧縮する閾値を第２経過時間（例えば１２ヶ月）とすることができる。なお、基準例３における通常画像ファイルの削除および多段圧縮の基準となる所定の時間は使用者が任意に設定できるようにすることが好ましい。
【００９７】
このように、第２実施形態においても、煩雑な操作を要求することなく、また画像を失うことなく、飛躍的に記録可能枚数を増大させることが可能である。そして、一度縮小および圧縮により記録可能枚数を増大させた後でも、多段圧縮を行うことにより記録可能枚数を再び増大でき、使用者は、実質的に無制限に撮影を行うことが可能となる。また、記録可能枚数を増大させる処理の時には画像ファイルの削除処理のみを行うため、処理時間を大幅に短縮することができる。
【００９８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９９】
本発明は、被写体を撮像して画像データを生成する撮像装置に利用することができる。
【符号の説明】
【０１００】
１０…デジタルカメラ、１００…メインバス、１０２…制御部、１０４…操作部、１０６…撮影レンズ、１０８…撮像素子、１１０…撮像部、１１２…表示器、１１４…バッファメモリ、１１６…表示出力部、１２０…情報生成部、１２２…設定入力部、１２４…画像処理部、１２６…通常ファイル生成部、１２８…高圧縮部、１３０…多面画像ファイル生成部、１３２…個別識別部、１３４…部分画像ファイル生成部、１４０…記録部、１４４…削除部、１４６…外部インターフェース、１４８…外部装置
【図１】
2011086977.tif 000003
【図２】
2011086977.tif 000004
【図３】
2011086977.tif 000005
【図４】
2011086977.tif 000006
【図５】
2011086977.tif 000007
【図６】
2011086977.tif 000008
【図７】
2011086977.tif 000009
【図８】
2011086977.tif 000010
【図９】
2011086977.tif 000011
【図１０】
2011086977.tif 000012
【図１１】
2011086977.tif 000013